Podtech/llm-jp-corpus-v4-ja_patent huggingface dataset:
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
熱安定性を有するガンマ検出器であって、前記ガンマ検出器は、
前記ガンマ検出器の検出感度を、ガンマ光子の検出を無効にするレベルに設定し、前記ガンマ検出器の温度を所定温度に維持するように、熱発生器を制御する少なくとも１つのコントローラを含み、
前記所定温度は、前記ガンマ検出器の検出感度が、ガンマ光子の検出を有効にするレベルに設定される場合の前記ガンマ検出器の定常温度である、ガンマ検出器において、
前記少なくとも１つのコントローラが、前記ガンマ検出器の現在の温度を前記所定温度に維持するために偽事象を生成するように前記ガンマ検出器を制御することを特徴とする、ガンマ検出器。
【請求項２】
前記少なくとも１つのコントローラは更に、前記ガンマ検出器の検出感度が、ガンマ光子の検出を無効にするレベルに設定されているかどうかを、前記ガンマ検出器が、クワイエットモードにあるのか、又は、データ収集モードにあるのかを示す信号をモニタリングすることによって決定し、
前記クワイエットモードは、ガンマ光子の検出を無効にする検出感度レベルに対応し、
前記データ収集モードは、ガンマ光子の検出を有効にする検出感度レベルに対応する、請求項１に記載のガンマ検出器。
【請求項３】
前記ガンマ検出器の現在の温度を測定するための温度センサを更に含み、
前記少なくとも１つのコントローラは更に、前記ガンマ検出器の現在の温度の測定結果を受信し、前記ガンマ検出器の現在の温度の受信した前記測定結果を前記所定温度に維持するように、前記熱発生器を制御する、請求項１又は２に記載のガンマ検出器。
【請求項４】
複数のダイコントローラと、
前記複数のダイコントローラから、生成された前記偽事象を記述する事象データを受信するためのタイルコントローラと、
シンチレータと、
前記複数のダイコントローラに対応し、前記シンチレータに光学的に結合されるシリコン光電子増倍管のアレイと、
を更に含み、
前記少なくとも１つのコントローラは更に、ガンマ光子の検出を有効にする検出感度レベルにおいて前記シンチレータによって生成される光パルスを前記シリコン光電子増倍管が検出する定常状態の割合で、前記偽事象を生成する、請求項１乃至３の何れか一項に記載のガンマ検出器。
【請求項５】
前記タイルコントローラが、前記偽事象を生成する、請求項４に記載のガンマ検出器。
【請求項６】
第１の核スキャナのボアの周りに配置される複数の検出器を含む前記第１の核スキャナを含み、
前記複数の検出器はそれぞれ、請求項１乃至５の何れか一項に記載のガンマ検出器であり、
前記第１の核スキャナは、前記複数の検出器を、データ収集モードからクワイエットモードに移行する要求を受信し、前記要求に応えて、前記複数の検出器の検出感度を、ガンマ光子の検出を無効にするレベルに設定する、医用イメージングシステム。
【請求項７】
前記第１の核スキャナの近くに置かれる第２のＸ線スキャナと、
前記第１の核スキャナ及び前記第２のＸ線スキャナを使用してイメージングを調整し、前記第２のＸ線スキャナを使用するイメージングに応えて、前記第１の核スキャナに前記要求を提供する制御システムと、
を更に含む、請求項６に記載の医用イメージングシステム。
【請求項８】
ガンマ検出器の熱安定性を維持する方法であって、前記方法は、
前記ガンマ検出器の検出感度が、ガンマ光子の検出を無効にするレベルに設定されているかどうかを決定するステップと、
前記ガンマ検出器の検出感度が、ガンマ光子の検出を無効にするレベルに設定されていることを決定することを受けて、前記ガンマ検出器の現在の温度を、所定温度に維持するように熱を発生させるステップと、
を含み、
前記所定温度は、前記ガンマ検出器の検出感度が、ガンマ光子の検出を有効にするレベルに設定される場合の前記ガンマ検出器の定常温度である、方法において、
前記ガンマ検出器の現在の温度を前記所定温度に維持するために偽事象を生成するように前記ガンマ検出器を制御する少なくとも１つのコントローラによって、熱が発生させられることを特徴とする、方法。
【請求項９】
前記決定するステップは、
前記ガンマ検出器が、クワイエットモードにあるのか、又は、データ収集モードにあるのかを示す信号を受信するステップを含み、前記クワイエットモードは、ガンマ光子の検出を無効にする検出感度レベルに対応し、前記データ収集モードは、ガンマ光子の検出を有効にする検出感度レベルに対応する、請求項８に記載の方法。
【請求項１０】
前記ガンマ検出器の現在の温度を測定するステップと、
測定された現在の温度を前記所定温度に維持するように、熱を発生させるステップと、
を更に含む、請求項８又は９に記載の方法。
【請求項１１】
前記ガンマ検出器は、タイルコントローラと、複数のダイコントローラとを含み、
前記熱を発生させるステップは、
前記ガンマ検出器の現在の温度を前記所定温度に維持するために偽事象を生成するステップと、
前記タイルコントローラによって、前記複数のダイコントローラから、生成された前記偽事象を記述する事象データを受信し、受信した前記事象データを廃棄するステップと、を含む、請求項８乃至１０の何れか一項に記載の方法。
【請求項１２】
前記ガンマ検出器は、前記複数のダイコントローラに対応するシリコン光電子増倍管のアレイであって、シンチレータに光学的に結合されるシリコン光電子増倍管のアレイを含み、
前記熱を発生させるステップは、
ガンマ光子の検出を有効にする検出感度レベルにおいて前記シンチレータによって生成される光パルスを前記シリコン光電子増倍管が検出する定常状態の割合で、前記偽事象を生成するステップを更に含む、請求項１１に記載の方法。
【請求項１３】
前記熱を発生させるステップは、前記タイルコントローラによって前記偽事象を生成するステップを更に含む、請求項１１又は１２に記載の方法。
【請求項１４】
抵抗ヒータを有効にすることによって、前記ガンマ検出器の現在の温度を前記所定温度に維持するように熱を発生させるステップを更に含む、請求項８乃至１３の何れか一項に記載の方法。
【請求項１５】
前記ガンマ検出器の検出感度が、ガンマ光子の検出を無効にするレベルに設定されている間に、被検体のコンピュータ断層撮影スキャンを行うステップと、
前記ガンマ検出器の検出感度が、ガンマ光子の検出を有効にするレベルに設定されている間に、前記被検体のポジトロン放出断層撮影スキャン又は単光子放出コンピュータ断層撮影スキャンを行うステップと、
を更に含む、請求項８乃至１４の何れか一項に記載の方法。
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
ある量の炭素繊維を提供する工程、
水混和性溶媒中に溶解された非水溶性サイジング剤材料を含むサイジング剤組成物と、前記ある量の炭素繊維を接触させる工程であって、前記非水溶性サイジング剤材料が、エポキシ、熱可塑性物質、ゴム及びそれらの組合せから選択されるポリマーである工程、
前記サイジング剤材料を前記ある量の炭素繊維上へ凝固させ、サイジング剤材料及び溶媒のコーティングを前記炭素繊維上に形成する工程、
前記コーティングされた炭素繊維を水で洗浄し、前記水混和性溶媒を除去する工程、並びに
結果として生じたポリマーコーティングされた前記ある量の炭素繊維を少なくとも部分的に乾燥させて、ある量のサイジングされた炭素繊維を生成する工程
を含む、サイジング剤を炭素繊維上へ塗布する方法。
【請求項２】
前記ある量の炭素繊維が、炭素ファブリックである、請求項１に記載の方法。
【請求項３】
前記水混和性溶媒が、ジメチルスルホキシド（ＤＭＳＯ）、Ｎ−メチル−２−ピロリドン（ＮＭＰ）、ジメチルホルムアミド（ＤＭＦ）、ヘキサメチルホスホルアミド（ＨＭＰＡ）、アセトン、メチルエチルケトン、ブタノン、メチルアルコール、エチルアルコール、イソプロピルアルコール、ブチルアルコール、ジクロロメタン、クロロホルム、チオシアン酸ナトリウム及び塩化亜鉛から選択される、請求項１に記載の方法。
【請求項４】
前記水混和性溶媒が、約１０以上、又は約３以下のｐＨを有する、請求項１に記載の方法。
【請求項５】
前記水混和性溶媒が、強塩基又は強酸である、請求項１に記載の方法。
【請求項６】
前記サイジング剤材料が、ポリエーテルスルホン、ポリエーテルケトン、ビスＡエポキシ、ビスＦエポキシ、フェノキシ、フェノール類、ビニルエステル、ビスマレイミド（ＢＭＩ）、ポリイミド、ポリアミドイミド、ビスフェノールＡエポキシのジグリシジルエーテル、アントラセンエポキシ、ナフタレンエポキシ、ノバラック（novalac）エポキシ、三官能性エポキシ、四官能性エポキシ及びそれらの組合せから選択される、請求項１に記載の方法。
【請求項７】
前記サイジング剤材料が、ゴム粒子、無機粒子、有機粒子、添加物及びそれらの組合せから選択される改質剤によって改質される、請求項１に記載の方法。
【請求項８】
前記改質剤が、カーボンナノチューブ（ＣＮＴ）、グラフェンシート、カーボンマイクロビーズ、シリカナノチューブ、炭化ケイ素ナノチューブ、ナノクレイ、及びそれらの組合せから選択される、請求項７に記載の方法。
【請求項９】
前記サイジング剤材料が、約３００以上のエポキシ当量を有するエポキシである、請求項１に記載の方法。
【請求項１０】
前記サイジング剤材料が、約５００以下のエポキシ当量を有するエポキシである、請求項１に記載の方法。
【請求項１１】
前記サイジング剤材料が、異なるポリマーの組合せである、請求項１に記載の方法。
【請求項１２】
溶媒蒸気が、前記少なくとも部分的に乾燥させる工程の間に、実質的に生成されない、請求項１に記載の方法。
【請求項１３】
界面活性剤が使用されない、請求項１に記載の方法。
【請求項１４】
水が、前記少なくとも部分的に乾燥させる工程の間に、前記コーティングされた炭素繊維から実質的に除去される、請求項１に記載の方法。
【請求項１５】
水、水混和性溶媒及びポリマーを含む浴後組成物が、前記洗浄の間に形成される、請求項１に記載の方法。
【請求項１６】
前記浴後組成物の１つ又は複数の成分をリサイクルすることをさらに含む、請求項１５に記載の方法。
【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
オブジェクトの存在を検出するための装置であって、
アレイに配列された複数の導電性ループの各々に関連する電気的特性を判断するための手段と、
前記複数の導電性ループの各ループについて、参照値からの前記ループに関連する前記電気的特性の偏差、および前記参照値からの少なくとも1つの隣接ループに関連する前記電気的特性の偏差の合計に基づいてパラメータを判断するための手段と、
前記パラメータに基づいて前記オブジェクトの前記存在を判断するための手段と、
を備える、装置。
【請求項２】
前記電気的特性は、ループ共振周波数、ループインピーダンス、またはその両方を含む、請求項1に記載の装置。
【請求項３】
前記複数の導電性ループの幾何学的配列に基づいて、前記偏差の各々に重み係数を適用するための手段をさらに備える、請求項1に記載の装置。
【請求項４】
前記電気的特性についての前記参照値からの前記ループに関連する前記電気的特性の前記偏差と、前記参照値からの前記隣接ループに関連する前記電気的特性の前記偏差との間の差として前記パラメータを判断することによって、温度に起因する前記複数の導電性ループの各々に関連する前記電気的特性の変動を補償するための手段をさらに備える、請求項1に記載の装置。
【請求項５】
前記ループについてのリード線および前記隣接ループについてのリード線は、実質的に一緒に物理的にルーティングされる、請求項1に記載の装置。
【請求項６】
前記電気的特性の変動を補償するための手段は、前記ループおよび前記隣接ループに関連する前記電気的特性の共通の変動を相殺するように構成される、請求項4に記載の装置。
【請求項７】
前記複数の導電性ループは重複しない、請求項4に記載の装置。
【請求項８】
オブジェクトの存在を検出するための方法であって、
アレイに配列された複数の導電性ループの各々に関連する電気的特性を判断するステップと、
前記複数の導電性ループの各ループについて、参照値からの前記ループに関連する前記電気的特性の偏差、および前記参照値からの少なくとも1つの隣接ループに関連する前記電気的特性の偏差の合計に基づいてパラメータを判断するステップと、
前記パラメータに基づいて前記オブジェクトの前記存在を判断するステップと
を含む方法。
【請求項９】
前記電気的特性は、ループ共振周波数、ループインピーダンス、またはその両方を含む、請求項8に記載の方法。
【請求項１０】
前記パラメータを判断するステップは、前記複数の導電性ループの幾何学的配列に基づいて、前記偏差の各々に重み係数を適用するステップを含む、請求項8に記載の方法。
【請求項１１】
前記パラメータを判断するステップは、前記電気的特性についての前記参照値からの前記ループに関連する前記電気的特性の前記偏差と、前記参照値からの前記隣接ループに関連する前記電気的特性の前記偏差との間の差として前記パラメータを判断することによって、温度に起因する前記複数の導電性ループの各々に関連する前記電気的特性の変動を補償するステップを含む、請求項8に記載の方法。
【請求項１２】
前記ループについてのリード線および前記隣接ループについてのリード線は、実質的に一緒に物理的にルーティングされる、請求項11に記載の方法。
【請求項１３】
前記変動を補償するステップは、前記ループおよび前記隣接ループに関連する前記電気的特性の共通の変動を相殺する、請求項11に記載の方法。
【請求項１４】
前記複数の導電性ループは重複しない、請求項8に記載の方法。
【請求項１５】
オブジェクトの存在を検出するためのコンピュータ可読記憶媒体であって、実行されたときに装置に、請求項8乃至14の何れかに記載の方法を実施させる、コンピュータ可読記憶媒体。
【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
特に水素及び一酸化炭素に関して高い気体収着効率を有する、非蒸発性ゲッター合金粉末を含むゲッター・デバイスであって、前記合金粉末は、組成元素としてジルコニウム、バナジウム、チタン、及びアルミニウムを含み、下記の範囲内：
ａ．ジルコニウム３８〜４４．８％
ｂ．バナジウム１４〜２９％
ｃ．チタン１３〜１５％
ｄ．アルミニウム１１．５〜３５％
で変化することができる前記元素の原子パーセンテージ組成を有し、
前記原子パーセンテージの範囲は、前記非蒸発性ゲッター合金中のジルコニウム、バナジウム、チタン、及びアルミニウムの和に関して考慮され、前記非蒸発性ゲッター合金は、任意選択で１種又は複数の追加の元素を、合金組成物の総量に対して８％よりも低い原子パーセンテージ組成で含み、
前記１種又は複数の追加の元素が、前記合金組成物の総量に対して０．１〜７％の間の原子パーセンテージ組成で、鉄、クロム、マンガン、コバルト、又はニッケルからなる群から選択され、
少量のその他の化学元素が、前記合金組成物の総量に対して１％よりも低いパーセンテージで合金組成物中に存在してよく、
前記合金組成物の総量は、ジルコニウム、バナジウム、チタン、アルミニウム、及び１００％の原子パーセンテージ組成になる残分として任意選択で存在する前記追加の元素の和であることを特徴とする、ゲッター・デバイス。
【請求項２】
前記ゲッター合金粉末が金属粉末と混合される、請求項１に記載のゲッター・デバイス。
【請求項３】
前記合金粉末が、５００μｍ未満の粒径を有する、請求項１に記載のゲッター・デバイス。
【請求項４】
前記合金粉末が、圧縮され焼結されて単一本体のゲッター要素を形成する、請求項１に記載のゲッター・デバイス。
【請求項５】
前記ゲッター・デバイスが、ゲッター・ポンプ、ゲッター・ポンプ用のカートリッジ、又は１種若しくは複数のポンピング要素を含むポンプである、請求項４に記載のゲッター・デバイス。
【請求項６】
水素及び一酸化炭素を除去するための、請求項１に記載のゲッター・デバイスの使用。
【請求項７】
請求項１に記載のゲッター・デバイスを含む水素感受性システム。
【手続補正書】
【提出日】平成29年8月3日(2017.8.3)
【手続補正１】
【補正対象書類名】特許請求の範囲
【補正対象項目名】請求項１
【補正方法】変更
【補正の内容】
【請求項１】
シリアルインターフェース（９）と、不揮発性記憶媒体（１０）と、前記シリアルインターフェース（９）と前記不揮発性記憶媒体（１０）との間でのデータ伝送を制御するメモリコントローラ（１２）とを有するリムーバブルデータ記憶媒体（４）であって、
受取部（１６）と、書き込み保護部（１３）とが存在し、
前記受取部（１６）は、前記リムーバブルデータ記憶媒体（４）に接続可能な医療機器（６）から機器識別特徴を受け取るように構成されており、
前記書き込み保護部（１３）は、前記機器識別特徴を所定の内部基準と比較するように構成されており、
前記機器識別特徴が前記基準に適合する場合には、前記不揮発性記憶媒体（１０）への読み書きアクセスを許可し、前記機器識別特徴が前記基準に適合しない場合には、前記不揮発性記憶媒体（１０）へのアクセスを読み取りアクセスに限定することを特徴とする、リムーバブルデータ記憶媒体（４）。
【手続補正２】
【補正対象書類名】特許請求の範囲
【補正対象項目名】請求項４
【補正方法】変更
【補正の内容】
【請求項４】
前記受取部（１６）が、光データリンクを介してデータを受信するように構成されていることを特徴とする、請求項２又は３に記載のリムーバブルデータ記憶媒体（４）。
【手続補正３】
【補正対象書類名】特許請求の範囲
【補正対象項目名】請求項６
【補正方法】変更
【補正の内容】
【請求項６】
前記リムーバブルデータ記憶媒体（４）は、前記シリアルインターフェース（９）としてＵＳＢポートを備えているＵＳＢメモリスティックである、請求項１〜５のいずれか１項に記載のリムーバブルデータ記憶媒体（４）。
【手続補正４】
【補正対象書類名】特許請求の範囲
【補正対象項目名】請求項１０
【補正方法】変更
【補正の内容】
【請求項１０】
前記送出部（２０）が発光体を備えている、請求項８又は９に記載の医療機器（６）。
【手続補正５】
【補正対象書類名】特許請求の範囲
【補正対象項目名】請求項１３
【補正方法】変更
【補正の内容】
【請求項１３】
前記機器識別特徴を無線データリンク（１９）を介して受信することを特徴とする、請求項１２に記載の方法。
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
頂部電極と底部電極との間にプラズマを生成することと、
ＤＣバイアスフィードバック信号を得るために、前記頂部電極に生成されたＤＣバイアス電源をモニタすることと、
膜堆積処理の間、前記頂部電極と前記プラズマとの間の電位差または前記底部電極と前記プラズマとの間の電位差を調整するため、前記ＤＣバイアスフィードバック信号に基づいて、前記頂部電極でＤＣバイアス電圧極性を制御することと
を含む、処理チャンバ内の粒子の発生を減少させる方法。
【請求項２】
前記頂部電極でＤＣバイアス電圧極性を制御することが、前記頂部電極を一定のゼロＤＣバイアス電圧で動作させることを含む、請求項１に記載の方法。
【請求項３】
前記頂部電極を一定のゼロＤＣバイアス電圧で動作させることが、前記頂部電極にゼロＤＣバイアス電圧を印加することによって実施される、請求項２に記載の方法。
【請求項４】
前記頂部電極を一定のゼロＤＣバイアス電圧で動作させることが、ＤＣバイアス電圧を前記頂部電極から接地に誘導することによって実施される、請求項２に記載の方法。
【請求項５】
前記底部電極が、接地に電気的に接続される、請求項１に記載の方法。
【請求項６】
チャンバ本体、
前記チャンバ本体の上方に配置されたリッドアセンブリであって、頂部電極及び、前記頂部電極の反対に位置づけられた底部電極を備えるリッドアセンブリ、
基板処理領域と前記リッドアセンブリとの間に配置されたガス供給プレート、並びに
前記チャンバ本体内部に配置された基板支持体
を備え、
前記頂部電極が高周波（ＲＦ）電源及びＤＣバイアス変調構成に電気的に接続され、膜堆積処理の間、前記頂部電極を一定のゼロＤＣバイアス電圧で動作させるように、前記ＤＣバイアス変調構成が構成される、
基板を処理するための装置。
【請求項７】
前記ＤＣバイアス変調構成が、一定のゼロＤＣバイアス電圧を前記頂部電極に印加するように構成されたＤＣ電源及び電力コントローラを含む、請求項６に記載の装置。
【請求項８】
前記ＤＣバイアス変調構成が、ＤＣ電源に結合され、前記高周波（ＲＦ）電源からのＲＦ信号が前記ＤＣ電源に侵入することを防止するように構成されたＲＦフィルタをさらに含む、請求項６に記載の装置。
【請求項９】
前記ＤＣバイアス変調構成が、前記頂部電極で生成されたＤＣバイアスを接地に誘導するように構成された電気的構成要素を含む、請求項６に記載の装置。
【請求項１０】
前記電気的構成要素が、単一ステージ構成または多重ステージ構成の、ローパスフィルタまたはバンドパスフィルタを含む、請求項９に記載の装置。
【請求項１１】
前記電気的構成要素が、前記高周波（ＲＦ）電源からのＲＦ信号に対して高インピーダンスパスを提供し、前記頂部電極からのＤＣ信号に対して低インピーダンスパスまたは無インピーダンスパスを提供する、請求項９に記載の装置。
【請求項１２】
チャンバ本体、
前記チャンバ本体の上方に配置されたリッドアセンブリであって、頂部電極及び、前記頂部電極の反対に位置づけられた底部電極を備えるリッドアセンブリ、
前記チャンバ本体内部に配置された基板支持体、並びに
膜堆積処理の間、前記頂部電極と前記底部電極との間に生成されたプラズマと、前記頂部電極または前記底部電極との電位差を調整することによって、前記頂部電極でＤＣバイアス電圧極性を制御するように構成されたでＤＣバイアス変調構成
を備えた、基板を処理するための装置。
【請求項１３】
前記ＤＣバイアス変調構成が、膜堆積処理の間、前記頂部電極を一定のゼロＤＣバイアス電圧で動作させる、請求項１２に記載の装置。
【請求項１４】
前記ＤＣバイアス変調構成が、ＤＣバイアス電圧を、前記頂部電極から接地に誘導するコア要素を含む、請求項１２に記載の装置。
【請求項１５】
前記ＤＣバイアス変調構成が、一定のゼロＤＣバイアス電圧を前記頂部電極に印加する電力コントローラを含む、請求項１２に記載の装置。
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
ハンドル部；
その遠方端に一群のブラシ毛を有するブラシヘッドアセンブリ；
ブラッシングイベントの間にユーザの歯の臨床的に有効なクリーニングをもたらすように、音声周波数範囲内の周波数と或る範囲内の振幅とを有する動きで前記一群のブラシ毛を駆動信号に応じて動かす駆動システム；及び
駆動信号ソースと、変調信号ソースと、前記駆動信号ソース及び変調信号ソースに結合され前記駆動信号の周波数を変える組み合わせ変調駆動信号を出力するオーディオミキサとを有する変調システムであって、前記組み合わせ変調駆動信号に応答して、前記駆動システムは、前記ブラッシングイベントの間に前記臨床的に有効な歯のクリーニングに加えて認知刺激効果又は認知リラクゼーション効果のうちの少なくとも何れかをもたらすように、前記一群のブラシ毛を動かし、(i)前記認知刺激効果の場合には、前記組み合わせ変調駆動信号は、前記ブラッシングイベントの開始から前記ブラッシングイベントの終了までの所定の期間内で周波数を増やし、及び(ii)前記認知リラクゼーション効果の場合には、前記組み合わせ変調駆動信号は、前記ブラッシングイベントの開始ないし終了の間の所定の期間内で周波数を増減らす、変調システム；
を有し、前記変調信号ソースからの変調信号の周波数は、0.2Hzである低い変調周波数と100Hzである高い変調周波数との間で変化する、電動歯ブラシ。
【請求項２】
前記駆動信号の周波数範囲は、約50ないし500Hzである、請求項1に記載の電動歯ブラシ。
【請求項３】
前記振幅の範囲は、約0.5mmないし6.6mmである、請求項1に記載の電動歯ブラシ。
【請求項４】
前記変調信号ソースからの変調信号の周波数は、ブラッシングイベントの間で指定された時間で変化する、請求項1に記載の電動歯ブラシ。
【請求項５】
前記変調信号ソースからの変調信号の周波数は、0.2Hzである低い変調周波数と100Hzである高い変調周波数との間で変化する、請求項1に記載の電動歯ブラシ。
【請求項６】
前記ブラシヘッドアセンブリは単独の動きを有する、請求項1に記載の電動歯ブラシ。
【請求項７】
ハンドル部；
その遠方端に一群のブラシ毛を有するブラシヘッドアセンブリ；
ブラッシングイベントの間にユーザの歯の臨床的に有効なクリーニングをもたらすように、音声周波数範囲内の周波数と或る範囲内の振幅とを有する動きで前記一群のブラシ毛を駆動信号に応じて動かす駆動システム；及び
駆動信号ソースと、変調信号ソースと、前記駆動信号ソース及び変調信号ソースに結合され前記駆動信号のデューティーサイクルを変える組み合わせ変調駆動信号を出力するオーディオミキサとを有する変調システムであって、前記組み合わせ変調駆動信号に応答して、前記駆動システムは、前記ブラッシングイベントの間に前記臨床的に有効な歯のクリーニングに加えて認知刺激効果又は認知リラクゼーション効果のうちの少なくとも何れかをもたらすように、前記一群のブラシ毛を動かし、(i)前記認知刺激効果の場合には、前記組み合わせ変調駆動信号は、前記ブラッシングイベントの開始から前記ブラッシングイベントの終了までの所定の期間内で周波数を増やし、及び(ii)前記認知リラクゼーション効果の場合には、前記組み合わせ変調駆動信号は、前記ブラッシングイベントの開始ないし終了の間の所定の期間内で周波数を増減らす、変調システム；
を有する電動歯ブラシ。
【手続補正２】
【補正対象書類名】明細書
【補正対象項目名】発明の名称
【補正方法】変更
【補正の内容】
【発明の名称】電動歯ブラシ
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
配列番号１、配列番号１１、配列番号３１、及び配列番号３２から選択されるアミノ酸配列を有する重鎖と、配列番号２及び配列番号１２から選択されるアミノ酸配列を有する軽鎖と、を含む、抗体。
【請求項２】
エフェクター分子に結合した抗体であって、配列番号１、配列番号１１、配列番号３１、及び配列番号３２から選択されるアミノ酸配列を有する重鎖と、配列番号２及び配列番号１２から選択されるアミノ酸配列を有する軽鎖と、を含む抗体を含む、免疫複合体。
【請求項３】
（ｉ）前記重鎖は、配列番号１に示されるアミノ酸配列を有し、前記軽鎖は、配列番号２に示されるアミノ酸配列を有するか、
（ｉｉ）前記重鎖は、配列番号１１に示されるアミノ酸配列を有し、前記軽鎖は、配列番号１２に示されるアミノ酸配列を有するか、
（ｉｉｉ）前記重鎖は、配列番号３１に示されるアミノ酸配列を有し、前記軽鎖は、配列番号１２に示されるアミノ酸配列を有するか、あるいは
（ｉｖ）前記重鎖は、配列番号３２に示されるアミノ酸配列を有し、前記軽鎖は、配列番号１２に示されるアミノ酸配列を有する、請求項１に記載の抗体又は請求項２に記載の前記免疫複合体。
【請求項４】
前記抗体は、Ｆａｂ、Ｆａｂ’、Ｆ（ａｂ’）２、ｓｃＦｖ、ｄｓＦｖ、ｄｓ−ｓｃＦｖ、二量体、ミニボディ、ダイアボディ、二重特異性抗体断片、非免疫グロブリン足場、多量体、及びそれらの任意の組み合わせからなる群から選択される抗体断片である、請求項１又は３に記載の抗体、あるいは請求項２又は３に記載の前記免疫複合体。
【請求項５】
前記抗体は、抗体断片Ｆａｂであり、軽鎖及び前記重鎖は、共有結合によって結合しており、前記共有結合が任意選択的にジスルフィド結合である、請求項１、３又は４に記載の抗体、あるいは請求項２〜４のいずれか一項に記載の前記免疫複合体。
【請求項６】
前記エフェクター分子は、放射性同位体、抗悪性腫瘍薬、免疫調節物質、生物学的応答調節物質、レクチン、毒素、発色団、フルオロフォア、化学発光化合物、酵素、金属イオン、及びそれらの任意の組み合わせからなる群から選択される、請求項２〜５のいずれか一項に記載の前記免疫複合体。
【請求項７】
前記エフェクター分子は、アブリン、モデクシン、ビスクミン、ゲロニン、ボウガニン、サポリン、リシン、リシンＡ鎖、ブリオジン、ルフィン、モモルジン、リストリクトシン、シュードモナス外毒素Ａ、百日咳毒素、破傷風毒素、ボツリヌス毒素、赤痢菌毒素、コレラ菌毒素、ジフテリア毒素、及びそれらの任意の組み合わせからなる群から選択される毒素である、請求項２〜６のいずれか一項に記載の前記免疫複合体。
【請求項８】
前記抗体は、癌細胞抗原に結合し、前記癌細胞抗原は、上皮細胞接着分子（ＥｐＣＡＭ）である、請求項１、３〜５のいずれか１項に記載の抗体、あるいは請求項２〜７のいずれか一項に記載の前記免疫複合体。
【請求項９】
前記エフェクター分子は、シュードモナス外毒素Ａ（配列番号３）、ボウガニン毒素（配列番号４）、又は配列番号３３、配列番号４２、及び配列番号４３から選択されるボウガニン毒素である、請求項２〜８のいずれか一項に記載の前記免疫複合体。
【請求項１０】
請求項１、３、４、５又は８に記載の抗体、あるいは請求項２〜９のいずれか一項に記載の前記免疫複合体と、薬学的に許容される賦形剤、担体、緩衝剤、または安定剤と、を含む、組成物。
【請求項１１】
対象における癌の治療における使用のための、請求項１０に記載の組成物。
【請求項１２】
前記組成物は、皮下、筋肉内、腹腔内、体腔内、くも膜下腔内、腫瘍内、経皮、及び静脈内注射からなる群から選択される非経口投与のための形態である、請求項１０又は１１に記載の組成物。
【請求項１３】
前記免疫複合体は、約０．０１ｍｇ／ｋｇ／用量〜約２０００ｍｇ／ｋｇ／用量の剤形である、請求項１０〜１２のいずれか一項に記載の組成物。
【請求項１４】
１つ以上の抗癌剤の使用をさらに含み、前記抗癌剤は、前記免疫複合体と併用投与、同時投与、または逐次投与され、任意選択的に、前記抗癌剤は、タモキシフェン、トレミフェン、ラロキシフェン、ドロロキシフェン、ヨードキシフェン、酢酸メゲストロール、アナスフロゾール、レトラゾール、ボラゾール、エクセメスタン、フルタミド、ニルタミド、ビカルタミド、酢酸シプロテロン、酢酸ゴセレリン、ルプロリド、フィナステリド、ハーセプチン、メトトレキサート、５−フルオロウラシル、シトシンアラビノシド、ドキソルビシン、ダウノマイシン、エピルビシン、イダルビシン、マイトマイシン−Ｃ、ダクチノマイシン、ミトラマイシン、シスプラチン、カルボプラチン、メルファラン、クロランブシル、ブスルファン、シクロホスファミド、イホスファミド、ニトロソウレア、チオテファン、ビンクリスチン、タキソール、タキソテール、エトポシド、テニポシド、アムサクリン、イリノテカン、トポテカン、エポチロン、イレッサ、タルセバ、血管新生抑制剤、ＥＧＦ阻害剤、ＶＥＧＦ阻害剤、ＣＤＫ阻害剤、サイトカイン、Ｈｅｒ１及びＨｅｒ２阻害剤、ならびにモノクローナル抗体から選択される、請求項１０〜１３のいずれか一項に記載の組成物。
【請求項１５】
前記癌は、肺癌、胃癌、腎癌、甲状腺癌、乳癌、膀胱癌、卵巣癌、結腸直腸癌、頭頸部癌、肝細胞癌、食道、膵臓、及び前立腺癌からなる群から選択される、請求項１０〜１４のいずれか一項に記載の組成物。
【請求項１６】
対象における癌を検出または監視する方法であって、
−前記対象から採取した試験試料を請求項１、３〜５又は８のいずれか１項に記載の抗体と接触させて抗体−抗原複合体を形成するステップと、
−前記試験試料中の前記抗体−抗原複合体の量を測定するステップと、
−その結果を対照に対して正規化するステップと、を含む、前記方法。
【請求項１７】
対象における腫瘍を撮像するためのキットであって、
前記キットが請求項１、３〜５又は８のいずれか１項に記載の抗体を含み、
インビボ画像診断によって前記抗体が検出され、
任意選択的に、前記抗体は、放射性同位体、発色団、フルオロフォア、化学発光化合物、酵素、金属イオン、及びそれらの任意の組み合わせからなる群から選択されるエフェクター分子をさらに含む、前記キット。
【請求項１８】
前記インビボ画像診断は、近赤外蛍光画像法（ＮＩＲＦ）、蛍光反射率画像法（ＦＲＩ）、蛍光媒介断層撮影法（ＦＭＴ）、ポジトロン放射断層撮影法（ＰＥＴ）、単一光子放射断層撮影法（ＳＰＥＣＴ）、磁気共鳴画像法（ＭＲＩ）、ポジトロン断層・コンピュータ断層複合撮影（ＰＥＴ／ＣＴ）、ポジトロン断層・磁気共鳴画像複合撮影（ＰＥＴ／ＭＲＩ）、及びそれらの任意の組み合わせからなる群から選択される、請求項１７に記載のキット。
【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
(S)-8-((2-アミノ-4-メチルペンチル)オキシ)-9-ブロモベンゾ[c][2,7]ナフチリジン-5(6H)-オン;
(S)-8-((2-アミノ-4-メチルペンチル)オキシ)-9-メチルベンゾ[c][2,7]ナフチリジン-5(6H)-オン;
(S)-8-((2-アミノ-4-メチルペンチル)オキシ)-9-イソブチル-6-メチルベンゾ[c][2,7]ナフチリジン-5(6H)-オン;
8-((2-アミノ-5,5,5-トリフルオロペンチル)オキシ)-6-メチルベンゾ[c][2,7]ナフチリジン-5(6H)-オン;
8-((2-アミノ-5,5,5-トリフルオロペンチル)オキシ)-9-ブロモ-6-メチルベンゾ[c][2,7]ナフチリジン-5(6H)-オン;
8-((2-アミノ-5,5,5-トリフルオロペンチル)オキシ)-9-クロロ-6-メチルベンゾ[c][2,7]ナフチリジン-5(6H)-オン;
4-アミノ-8-((2-アミノ-5,5,5-トリフルオロペンチル)オキシ)-6-メチルベンゾ[c][2,7]ナフチリジン-5(6H)-オン;
(S)-8-((2-アミノ-4-メチルペンチル)オキシ)-9-(ジフルオロメチル)-6-メチルベンゾ[c][2,7]ナフチリジン-5(6H)-オン;
(S)-8-((2-アミノ-4-メチルペンチル)オキシ)-9-ブロモ-4,6-ジメチルベンゾ[c][2,7]ナフチリジン-5(6H)-オン;
8-((2-アミノ-5,5,5-トリフルオロペンチル)オキシ)-4,6-ジメチルベンゾ[c][2,7]ナフチリジン-5(6H)-オン;
8-((2-アミノ-5,5,5-トリフルオロペンチル)オキシ)-9-クロロ-4,6-ジメチルベンゾ[c][2,7]ナフチリジン-5(6H)-オン;
(S)-8-((2-アミノ-4-メチルペンチル)オキシ)-9-シクロプロピル-4,6-ジメチルベンゾ[c][2,7]ナフチリジン-5(6H)-オン;
8-((2-アミノ-5,5,5-トリフルオロペンチル)オキシ)-6-メチル-5−オキソ−5,6-ジヒドロベンゾ[c][2,7]ナフチリジン-9-カルボニトリル;
8-((2-アミノ-5,5,5-トリフルオロペンチル)オキシ)-9-ブロモ-4,6-ジメチルベンゾ[c][2,7]ナフチリジン-5(6H)-オン;
(S)-8-((2-アミノ-4-メチルペンチル)オキシ)-9-イソプロピル-4,6-ジメチルベンゾ[c][2,7]ナフチリジン-5(6H)-オン;
(S)-8-((2-アミノ-4-メチルペンチル)オキシ)-9-ブロモ-6-(2-メトキシエチル)-4-メチルベンゾ[c][2,7]ナフチリジン-5(6H)-オン;
(S)-8-((2-アミノ-4-メチルペンチル)オキシ)-9-クロロ-6-(2-ヒドロキシエチル)-4-メチルベンゾ[c][2,7]ナフチリジン-5(6H)-オン;
(R)-8-((2-アミノ-4-メチルペンチル)オキシ)-9-ブロモ-4,6-ジメチルベンゾ[c][2,7]ナフチリジン-5(6H)-オン;
(S)-8-((2-アミノ-4-メチルペンチル)オキシ)-9-ブロモ-7-フルオロ-4,6-ジメチルベンゾ[c][2,7]ナフチリジン-5(6H)-オン;
8-(2-アミノ-4,4,4-トリフルオロブトキシ)-6-メチルベンゾ[c][2,7]ナフチリジン-5(6H)-オン;
8-(2-アミノ-4,4,4-トリフルオロブトキシ)-9-ブロモ-4,6-ジメチルベンゾ[c][2,7]ナフチリジン-5(6H)-オン;
8-(2-アミノ-4,4,4-トリフルオロブトキシ)-9-ブロモ-6-メチルベンゾ[c][2,7]ナフチリジン-5(6H)-オン;
8-(2-アミノ-4,4,4-トリフルオロブトキシ)-9-クロロ-6-メチルベンゾ[c][2,7]ナフチリジン-5(6H)-オン;
(S)-8-((2-アミノ-4-メチルペンチル)オキシ)-9-クロロベンゾ[c][2,7]ナフチリジン-5(6H)-オン;
(S)-8-((2-アミノ-4-メチルペンチル)オキシ)-9-ブロモ-6-(2-ヒドロキシエチル)-4-メチルベンゾ[c][2,7]ナフチリジン-5(6H)-オン;
8-メトキシ-4,6-ジメチルベンゾ[c][2,7]ナフチリジン-5(6H)-オン;
(S)-1-(8-((2-アミノ-4-メチルペンチル)オキシ)-9-フルオロ-6-メチル-5−オキソ−5,6-ジヒドロベンゾ[c][2,7]ナフチリジン-4−イル）-3-メチルウレア;
8-(2-ヒドロキシ-3-(イソプロピルアミノ)プロポキシ)-6-メチルベンゾ[c][2,7]ナフチリジン-5(6H)-オン;
8-(2-ヒドロキシ-3-(イソプロピルアミノ)プロポキシ)-4,6-ジメチルベンゾ[c][2,7]ナフチリジン-5(6H)-オン;
9-ブロモ-8-(2-ヒドロキシ-3-(イソプロピルアミノ)プロポキシ)-6-メチルベンゾ[c][2,7]ナフチリジン-5(6H)-オン;
9-ブロモ-8-(2-ヒドロキシ-3-(イソプロピルアミノ)プロポキシ)-4,6-ジメチルベンゾ[c][2,7]ナフチリジン-5(6H)-オン;
8-((2,4-ジメチルペンチル)オキシ)-6-メチルベンゾ[c][2,7]ナフチリジン-5(6H)-オン;
6-メチル-8-((4-メチルペンチル)オキシ)ベンゾ[c][2,7]ナフチリジン-5(6H)-オン;
(S)-8-((2-ヒドロキシ-4-メチルペンチル)オキシ)-4,6-ジメチルベンゾ[c][2,7]ナフチリジン-5(6H)-オン;
8-(2-ヒドロキシ-3-イソプロポキシプロポキシ)-4,6-ジメチルベンゾ[c][2,7]ナフチリジン-5(6H)-オン;
9-ブロモ-8-((2,4-ジメチルペンチル)オキシ)-6-メチルベンゾ[c][2,7]ナフチリジン-5(6H)-オン;
8-((2,4-ジメチルペンチル)オキシ)-4,6-ジメチルベンゾ[c][2,7]ナフチリジン-5(6H)-オン;
4,6-ジメチル-8-((4-メチルペンチル)オキシ)ベンゾ[c][2,7]ナフチリジン-5(6H)-オン;および
8-((2,4-ジメチルペンチル)オキシ)-6-メチルベンゾ[c][2,7]ナフチリジン-5(6H)-オン；
から選択される化合物、またはその医薬的に許容される塩。
【請求項２】
医薬的に許容し得る量の請求項1記載の化合物またはその医薬的に許容される塩、および医薬的に許容される担体を含む、組成物。
【請求項３】
アダプター関連キナーゼ1(AAK1)と請求項1記載の化合物またはその医薬的に許容される塩とを接触させるように用いられることを特徴とする、AAK1活性阻害剤。
【請求項４】
治療上有効な量の請求項1記載の化合物、またはその医薬的に許容される塩を含む、AAK1活性により媒介される疾患または障害を治療または制御するための剤。
【請求項５】
疾患または障害が、アルツハイマー病、双極性障害、疼痛、パーキンソン病および統合失調症から選択される、請求項4記載の剤。
【請求項６】
疼痛が、神経障害性疼痛である、請求項5記載の剤。
【請求項７】
神経障害性疼痛が、線維筋痛または末梢神経障害である、請求項6記載の剤。
【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
非水電解質を含む電気エネルギー貯蔵デバイス内の集電体で使用するための導電性プライマー組成物であって、導電性プライマー組成物が、
（ａ）１種以上の水溶性ポリマーを含む有機ポリマーバインダー、
（ｂ）水を含む溶媒系、
（ｃ）水溶性ポリマーの少なくとも１つと結合し、１種以上の水溶性ポリマーの全重量の０．０２５〜１０．０重量％の範囲で存在するリン系酸であって、それと結合するリン酸を有する１種以上の水溶性ポリマーの少なくとも１つが、アクリルアミド、ｎ−メチロールアクリルアミド、メタクリルアミド、ｎ−メチロールメタクリルアミド、ビニルホルムアミドおよびｎ−メチロールビニルホルムアミドからなる群から選択される１種以上のモノマーの少なくとも７０重量％からなるリン系酸、および
（ｄ）全乾燥プライマー組成物重量の４５〜８０重量％の量で存在する、導電性粒子を含む導電性プライマー組成物。
【請求項２】
それと結合するリン酸を有する１種以上の水溶性ポリマーの少なくとも１つが、モノマーアクリルアミドを含むコポリマーである、請求項１に記載の導電性プライマー組成物。
【請求項３】
有機ポリマーバインダーが、さらに組成物中に分散する１種以上の水分散性ポリマーを含む、請求項１に記載の導電性プライマー組成物。
【請求項４】
リン系酸の供給源が、ビニルホスホン酸、ビニルジホスホン酸および（メタ）アクリル酸に基づくリン酸エステルモノマーの少なくとも１つを含む、請求項１に記載の導電性プライマー組成物。
【請求項５】
さらに架橋剤を含む、請求項１に記載の導電性プライマー組成物。
【請求項６】
導電性粒子が、カーボンブラック、グラファイト、グラフェンおよびその混合物からなる群から選択される、請求項１に記載の導電性プライマー組成物。
【請求項７】
導電性粒子が、カーボンブラック、グラファイトおよびグラフェンを含み、グラフェンおよびカーボンブラックが、０．２：１〜５：１の重量比で組成物中に存在する、請求項６に記載の導電性プライマー組成物。
【請求項８】
非水電解質を含む電気エネルギー貯蔵デバイス内の集電体で使用するための導電性プライマー組成物であって、導電性プライマー組成物が、
水、
水中で溶解するおよび／または分散する１種以上の有機ポリマー、および
全乾燥プライマー組成物重量の４５〜８０重量％の量で存在する、水中で分散する導電性粒子を含み、
１種以上の有機ポリマーの少なくとも１つが、有機ポリマーの全重量の少なくとも７０重量％のアクリルアミド、ｎ−メチロールアクリルアミド、メタクリルアミド、ｎ−メチロールメタクリルアミド、ビニルホルムアミドおよびｎ−メチロールビニルホルムアミドからなる群から選択されるモノマーを含み、有機ポリマーと結合し、全重量の０．０２５〜１０．０重量％のリン酸をさらに含む導電性プライマー組成物。
【請求項９】
非水電解質を含む電気エネルギー貯蔵デバイスのための導電性コーティング組成物であって、導電性コーティング組成物が、
有機バインダー、
全乾燥導電性コーティング組成物重量の４５〜８０重量％の量で存在する、有機バインダー中に分散された導電性粒子、
有機ポリマーの全重量の０．０５〜２．０重量％の範囲で存在するリン系酸を有し、有機バインダーとは異なる有機ポリマーを含み、
有機ポリマーが、アクリルアミド、ｎ−メチロールアクリルアミド、メタクリルアミド、ｎ−メチロールメタクリルアミド、ビニルホルムアミドおよびｎ−メチロールビニルホルムアミドからなる群から選択される１種以上のモノマーを少なくとも７０重量％を含み、有機ポリマーが導電性コーティング組成物に基づき、０．１〜５．０の全乾燥固体重量％の範囲で存在する導電性コーティング組成物。
【請求項１０】
リン系酸が、ビニルホスホン酸、ビニルジホスホン酸、および（メタ）アクリル酸に基づくリン酸エステルモノマーの少なくとも一つから選択される、請求項９に記載の導電性コーティング組成物。
【請求項１１】
導電性粒子が、カーボンブラック、グラファイトおよびグラフェンの少なくとも1つを含む、請求項９に記載の導電性コーティング組成物。
【請求項１２】
非水電解質を含む電気エネルギー貯蔵デバイス内で使用するためのコーティングされた集電体であって、コーティングされた集電体が、
Ａ）導電性金属面、および
Ｂ）導電性の金属表面に直接付着された導電性プライマー層を含み、
導電性プライマー層が、全乾燥導電性プライマー層重量の４５〜８０重量％の量で存在する、導電性粒子および１種以上の有機ポリマーを含む有機ポリマーバインダーを含み、１種以上の有機ポリマーの少なくとも１つが、アクリルアミド、ｎ−メチロールアクリルアミド、メタクリルアミド、ｎ−メチロールメタクリルアミド、ビニルホルムアミドおよびｎ−メチロールビニルホルムアミドからなる群から選択される７０重量％以上のモノマーおよび１種以上の有機ポリマーの全重量の０．０２５〜１０．０重量％の量で１種以上の有機ポリマーの少なくとも１つに結合するリン酸をさらに含む集電体。
【請求項１３】
導電性プライマー層が架橋されている、請求項１２に記載のコーティングされた集電体。
【請求項１４】
導電性粒子が、カーボンブラック、グラファイト、およびグラフェンの少なくとも１つを含む、請求項１３に記載のコーティングされた集電体。
【請求項１５】
導電性プライマー層上に活物質導電性コーティングが堆積された請求項１２に記載のコーティングされた集電体を含む電極。
【請求項１６】
非水電解質を含む電気エネルギー貯蔵デバイス内で使用するためのコーティングされた集電体の製造方法であって、以下の工程、
ａ）金属導電性表面を含む集電体を提供する、
ｂ）請求項１〜８のいずれかに記載の導電性プライマー組成物を金属導電性表面に直接塗布し、および
ｃ）金属導電性表面の導電性プライマー組成物を乾燥、および任意に架橋し、付着した導電性プライマー層を形成することを含む方法。
【請求項１７】
さらに以下の工程、
工程ｃ）の前または後に付着した導電性プライマー層の上に活物質を含む導電性コーティング組成物を堆積させる、および
乾燥、および任意に架橋し、電極を形成すること
を含む請求項１６に記載のコーティングされた集電体の製造方法。
【請求項１８】
請求項１２に記載のコーティングされた集電体および非水電解質を含み、導電性のプライマー層が、非水電解質に不溶である電気エネルギー貯蔵デバイス。
【請求項１９】
導電性粒子が、カーボンブラックおよびグラフェンを含み、グラフェンおよびカーボンブラックが、０．２：１〜５：１の重量比で存在する、請求項１１に記載の導電性組成物。
【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
必要とするヒト対象においてタウオパチーを処置するための医薬組成物であって、該医薬組成物は固定用量の７００ｍｇの抗Ｔａｕ抗体で該ヒト対象に投与され、該抗Ｔａｕ抗体は免疫グロブリン軽鎖可変領域（ＶＬ）および免疫グロブリン重鎖可変領域（ＶＨ）を含み、
（ａ）該ＶＬはＶＬ相補性決定領域（ＶＬ−ＣＤＲ）を含み：
ＶＬ−ＣＤＲ１は配列番号７に記載されるアミノ酸配列からなり；
ＶＬ−ＣＤＲ２は配列番号８に記載されるアミノ酸配列からなり；
ＶＬ−ＣＤＲ３は配列番号９に記載されるアミノ酸配列からなり；
（ｂ）該ＶＨはＶＨ−ＣＤＲを含み：
ＶＨ−ＣＤＲ１は配列番号１０に記載されるアミノ酸配列からなり；
ＶＨ−ＣＤＲ２は配列番号１１に記載されるアミノ酸配列からなり；
ＶＨ−ＣＤＲ３は配列番号１２に記載されるアミノ酸配列からなる
医薬組成物。
【請求項２】
抗Ｔａｕ抗体がヒト対象に静脈内に投与される、請求項１に記載の医薬組成物。
【請求項３】
抗Ｔａｕ抗体が４週毎に１回の固定用量の７００ｍｇでヒト対象に投与される、請求項１または２に記載の医薬組成物。
【請求項４】
タウオパチーが慢性タウオパチーである、請求項１から３のいずれかに記載の医薬組成物。
【請求項５】
慢性タウオパチーが、アルツハイマー病、筋萎縮性側索硬化症／パーキンソン型認知症複合、好銀顆粒性認知症、英国型アミロイド血管症、大脳アミロイド血管症、大脳皮質基底核変性症、クロイツフェルト・ヤコブ病、ボクサー認知症、石灰化を伴うびまん性神経原線維変化、ダウン症候群、前頭側頭骨性認知症(FTD)、１７番染色体に関連するパーキンソン症状がみられる前頭側頭骨性認知症、前頭側頭葉変性症、ゲルストマン・シュトロイスラー・シャインカー病、ハラーフォルデン−シュパッツ疾患、封入体筋炎、多系統萎縮症、筋緊張性ジストロフィー、ニーマン・ピック病Ｃ型、神経原線維変化を伴う非グアマニアン(non-Guamanian)運動神経疾患、ピック病、脳炎後のパーキンソン症状、プリオンタンパク質脳アミロイドアンギオパチー、進行性皮質下神経膠症、進行性核上非性麻痺、亜急性硬化性全脳炎、神経原線維変化型老年認知症、または多発梗塞性認知症である、請求項４に記載の医薬組成物。
【請求項６】
慢性タウオパチーがアルツハイマー病である、請求項４に記載の医薬組成物。
【請求項７】
慢性タウオパチーが進行性核上非性麻痺である、請求項４に記載の医薬組成物。
【請求項８】
タウオパチーが急性タウオパチーである、請求項１から３のいずれかに記載の医薬組成物。
【請求項９】
急性タウオパチーが、卒中、慢性外傷性脳症、外傷性脳損傷、脳震盪、発作、癲癇または急性鉛毒性脳症である、請求項８に記載の医薬組成物。
【請求項１０】
ＶＨが配列番号３７に記載されるアミノ酸配列からなり、ＶＬが配列番号４１に記載されるアミノ酸配列からなる、請求項１から９のいずれかに記載の医薬組成物。
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
ＣＤＲＨ１配列、ＣＤＲＨ２配列及びＣＤＲＨ３配列を含む重鎖可変ドメイン、及びＣＤＲＬ１配列、ＣＤＲＬ２配列及びＣＤＲＬ３配列を含む軽鎖可変ドメインを含み、ここで
ＣＤＲＨ１配列は、配列番号０２、０８、１５、２１又は２８であり、
ＣＤＲＨ２配列は、配列番号０３、０９、１６、２２、２９又は３４であり、
ＣＤＲＨ３配列は、配列番号０４、１７又は３０であり、
ＣＤＲＬ１配列は、配列番号０５、１０、１８、２３、３１又は３５であり、
ＣＤＲＬ２配列は、配列番号０６、１１、１９、２４、３２又は３６であり、そして
ＣＤＲＬ３配列は、配列番号０７、１２、２０、２５、３３又は３７である、
モノクローナル抗体。
【請求項２】
抗体が、単量体又はオリゴマーアルファ−シヌクレインであるアルファ−シヌクレインに結合する、請求項１記載の抗体。
【請求項３】
抗体が、ヒト化抗体又はキメラ抗体である、請求項１記載の抗体。
【請求項４】
抗体が、血液脳関門シャトルモジュールにコンジュゲートされ、血液脳関門シャトルモジュールが、ＬＲＰ１、ＬＲＰ８、ヒトトランスフェリン受容体又はヒトインスリン様成長因子受容体に結合する抗体又は抗体フラグメントである、請求項１記載の抗体。
【請求項５】
請求項１記載の抗体であって、抗体が、さらに
ａ）ヒトサブクラスＩｇＧ１の免疫グロブリン重鎖のＦｃ領域、
ｂ）ヒトサブクラスＩｇＧ４の免疫グロブリン重鎖のＦｃ領域、
ｃ）変異Ｌ２３４Ａ、Ｌ２３５Ａ及びＰ３２９Ｇを伴うヒトサブクラスＩｇＧ１の免疫グロブリン重鎖のＦｃ領域、
ｄ）変異Ｓ２２８Ｐ、Ｌ２３５Ｅ及びＰ３２９Ｇを伴うヒトサブクラスＩｇＧ４の免疫グロブリン重鎖のＦｃ領域、
ｅ）変異Ｌ２３４Ａ、Ｌ２３５Ａ、Ｐ３２９Ｇ、Ｔ３６６Ｗ及びＳ３５４Ｃを伴うヒトサブクラスＩｇＧ１の免疫グロブリン重鎖の第１のＦｃ領域、並びに変異Ｔ２３４Ａ、Ｌ２３５Ａ、Ｐ３２９Ｇ、Ｔ３６６Ｓ、Ｌ３６８Ａ、Ｙ４０７Ｖ及びＹ３４９Ｃを伴うヒトサブクラスＩｇＧ１の免疫グロブリン重鎖の第２のＦｃ領域、又は
ｆ）変異Ｓ２２８Ｐ、Ｌ２３５Ｅ、Ｐ３２９Ｇ、Ｔ３６６Ｗ及びＳ３５４Ｃを伴うヒトサブクラスＩｇＧ４の免疫グロブリン重鎖の第１のＦｃ領域、並びに変異Ｓ２２８Ｐ、Ｌ２３５Ｅ、Ｐ３２９Ｇ、Ｔ３６６Ｓ、Ｌ３６８Ａ、Ｙ４０７Ｖ及びＹ３４９Ｃを伴うヒトサブクラスＩｇＧ４の免疫グロブリン重鎖の第２のＦｃ領域を含む、抗体。
【請求項６】
請求項１記載の抗体及び医薬的に許容可能な担体を含む医薬組成物。
【請求項７】
シヌクレイノパチーの処置における使用のための、請求項６記載の医薬組成物。
【請求項８】
パーキンソン病の処置における使用のための、請求項６記載の医薬組成物。